(57)【要約】【課題】  衣類のしわ伸ばしを行いつつ、乾燥を更に効率よく行うことが可能な乾燥装置を提供する。【解決手段】  クリーニングの仕上げ工程で衣類５を乾燥させる乾燥装置１において、内部に乾燥室２が形成された装置本体３と、乾燥室２の天井から衣類５を吊り下げる吊り下げ装置７と、吊り下げ装置７を揺動させる揺動装置８と、乾燥室２の壁面に設けられた吹き出し口４ｂから乾燥室２内に温風を送風する誘引ファン１０と、吹き出し口４ｂから吹き出される温風の風向を変える風向変更羽根１２とを備えた。【選択図】  図１
2006130157.tif 000002
【特許請求の範囲】
【請求項１】
クリーニングの仕上げ工程で衣類を乾燥させる乾燥装置において、
内部に乾燥室が形成された装置本体と、
前記乾燥室の天井から前記衣類を吊り下げる吊り下げ手段と、
前記吊り下げ手段を揺動させる揺動手段と、
前記乾燥室の壁面に設けられた吹き出し口から前記乾燥室内に温風を送風する送風手段と、
前記吹き出し口から吹き出される温風の風向を変える風向調整手段とを備えたことを特徴とする衣類の乾燥装置。
【請求項２】
前記揺動手段が前記衣類を揺動する周期と、前記風向調整手段が前記風向を変える周期とは異なる周期としたことを特徴とする請求項１記載の衣類の乾燥装置。
【請求項３】
前記吹き出し口が前記乾燥室の壁面の下部に設けられ、
前記風向調整手段が前記吹き出し口に設けられていることを特徴とする請求項１または２記載の衣類の乾燥装置。
【請求項４】
前記風向調整手段により案内された温風に付加するように、蒸気を噴出させる蒸気噴出手段が前記風向調整手段の前方に設けられていることを特徴とする請求項１から３のいずれかの項に記載の衣類の乾燥装置。
【発明の詳細な説明】
【技術分野】
【０００１】
本発明は、クリーニングの仕上げ工程で衣類を乾燥させる乾燥装置に関する。
【背景技術】
【０００２】
クリーニングした後の衣類を乾燥させる乾燥装置が特許文献１に記載されている。特許文献１に記載の乾燥装置は、ドライクリーニングした衣類を乾燥および仕上げするもので、蒸気を衣類に当てながら温風により衣類に染み込んでいるクリーニング液（溶剤）を揮発させ、次に蒸気を充満させて衣類を蒸らすことで皺を伸ばし、再度温風を衣類に当てて最終的な乾燥を行いつつ仕上げを行っている。そして、これらの乾燥および仕上げを行っている間、ハンガーに掛けられた衣類を振動モータの振動により揺動させている。
【特許文献１】特開平９−３８４００号公報
【発明の開示】
【発明が解決しようとする課題】
【０００３】
特許文献１に記載の乾燥装置は、衣類を揺動させつつ、蒸気による蒸らし、温風による乾燥を行うことで、乾燥および仕上げ工程を同一の装置内で効率よく行っているが、更なる乾燥効率の向上が望まれている。
それは、温風を衣類に当てる時間が長くなればなるほど、衣類に与えるダメージは大きくなるので、時間を短縮するために温風の温度を高くすることも考えられる。しかし、それは更に衣類を傷めることとなり逆効果である。
また温風の強さを強くすることも考えられるが、送風に使用するモータなどの出力を大きいものとする必要があり、消費電力が増大するだけでなく、騒音が増大する。
【０００４】
そこで本発明においては、衣類のしわ伸ばしを行いつつ、乾燥を更に効率よく行うことが可能な乾燥装置を提供することにある。
【課題を解決するための手段】
【０００５】
本発明の衣類の乾燥装置は、クリーニングの仕上げ工程で衣類を乾燥させる乾燥装置において、内部に乾燥室が形成された装置本体と、前記乾燥室の天井から前記衣類を吊り下げる吊り下げ手段と、前記吊り下げ手段を揺動させる揺動手段と、前記乾燥室の壁面に設けられた吹き出し口から前記乾燥室内に温風を送風する送風手段と、前記吹き出し口から吹き出される温風の風向を変える風向調整手段とを備えたことを特徴としたものである。
【０００６】
吊り下げ手段により吊り下げられた湿った衣類は、送風手段からの温風に曝された状態で、揺動手段により揺動されるので、衣類を湿らせている水や溶剤を蒸発させて乾燥させつつ、衣類のしわ伸ばしをすることができる。また揺動手段により揺動される衣類は、吊り下げ手段に吊り下げられているので、衣類の下端は、その揺動に伴って振り子のように揺れる。従って、衣類が振り子のように揺れることで、吹き出し口から吹き出される温風を、様々な角度から衣類へ吹き付けることができる。更に、吹き出し口から吹き出される温風は、風向調整手段により風向きが変わるので、衣類へ吹き付けられる温風の角度をより大きく変えることができる。従って、湿気を帯びた衣類に対して様々な方向から温風を当てることができる。
【０００７】
前記揺動手段が前記衣類を揺動する周期と、前記風向調整手段が前記風向を変える周期とは異なる周期とするのが望ましい。揺動手段が衣類を揺動する周期と、風向調整手段が風向を変える周期とを異なる周期とすれば、衣類が振り子のように揺れたときに当たる風向きが一定方向とならずに、様々な角度から風を当てることができる。
【０００８】
更に、前記吹き出し口が前記乾燥室の壁面の下部に設けられ、前記風向調整手段が前記吹き出し口に設けられているのが望ましい。乾燥室の壁面の下部に設けられた吹き出し口から風が吹き込み、風向調整手段により風向を変えているので、湿気が残りやすい衣類の下部に、様々な角度から直に風を当てることができる。また壁面の上部に吹き出し口を配置させると、温風は冷たい空気より軽いものであり、吹き出された後の温風は徐々に温度が低下していくものなので、乾燥室の天井付近と床面付近とに温度差ができやすい。吹き出し口を乾燥室の壁面の下部に設けることで、乾燥室内を早く温度上昇させることができるだけでなく、乾燥室内の温度を均一とすることができる。更にその温風を、風向調整手段により乾燥室内の空気を撹拌するように風向を変えているので、乾燥室内の温度をより均一とすることができる。湿った衣類は、その雰囲気の中で揺動しているので、衣類全体の乾燥を促進させることができる。
【０００９】
そして、前記風向調整手段により案内された風に付加するように、蒸気を噴出させる蒸気噴出手段が前記風向調整手段の前方に設けられているのが望ましい。乾燥室の壁面の下部に設けられた吹き出し口から吹き込む風に蒸気を付加するように蒸気噴出手段を設けているので、噴出された蒸気が天井付近まで上昇した後に自重で落下してくるが、吹き出し口から吹き上げられる風に乗って再び蒸気を上昇させることができる。従って、しわ伸ばしを行う際に、蒸気を乾燥室内の全体に行き渡らせることができるので、衣類に満遍なく蒸気を付着させることができる。
【発明の効果】
【００１０】
本発明によれば、以下の効果を奏する。
（１）内部に乾燥室が形成された装置本体と、乾燥室の天井から前記衣類を吊り下げる吊り下げ手段と、吊り下げ手段を揺動させる揺動手段と、乾燥室内へ送風する送風手段と、送風手段からの温風の風向きを変える風向調整手段とを備えたことにより、湿気を帯びた衣類に対して様々な方向から風を当てることができるので、衣類の乾燥が促進され、乾燥の効率化を図ることができる。よって、送風手段により吹き出される温風の量を大きくすることなく、乾燥時間を短縮させることができるので、乾燥効率の高い乾燥装置とすることができる。
（２）揺動手段が衣類を揺動する周期と、風向調整手段が風向を変える周期とは異なる周期としたことにより、衣類が振り子のように揺れたときに当たる温風の風向きを一定方向とせずに、様々な角度から風を当てることができるので、より乾燥の効率化が図れ、乾燥時間を短縮させることができる。
（３）吹き出し口が乾燥室の壁面の下部に設けられ、風向調整手段が吹き出し口に設けられていることで、湿気が残りやすい衣類の下部に、様々な角度から直に温風を当てることができ、乾燥室内を早く温度上昇させることができるだけでなく、乾燥室内の温度を均一とすることができるので、湿りを残すことなく衣類全体を早く乾燥させることができる。
（４）風向調整手段により案内された風に付加するように、蒸気を噴出させる蒸気噴出手段が風向調整手段の前方に設けられているので、しわ伸ばしを行う際に、蒸気を乾燥室内の全体に行き渡らせることができる。従って、衣類に満遍なく蒸気を付着させることができる。よって、衣類に蒸気が付着しないために揺動させても洗濯した際のしわが残ってしまう状態を防止することができるので、品質の高い乾燥装置とすることができる。
【発明を実施するための最良の形態】
【００１１】
本発明の実施の形態に係る衣類の乾燥装置を図１から図４に基づいて説明する。図１は、本発明の実施の形態に係る衣類の乾燥装置の正面図である。図２は、本発明の実施の形態に係る衣類の乾燥装置の右側面図である。図３は、本発明の実施の形態に係る衣類の乾燥装置の左側面図である。図４は、本発明の実施の形態に係る衣類の乾燥装置の平面図である。
【００１２】
図１に示すように、乾燥装置１は、内部に乾燥室２が形成された装置本体３と、乾燥室２内の空気を循環させる循環管路４とを備えている。
【００１３】
乾燥室２は、クリーニングの仕上げ工程で水や溶剤で湿った衣類５を乾燥させるための部屋であり、ドア３ａを閉めることに密閉された空間となる。衣類５は、ハンガー６に掛けた状態で、吊り下げ装置７により吊り下げられている。この吊り下げ装置７は、装置本体３の天井に設けられた揺動装置８に接続され揺動される。
【００１４】
ここで、吊り下げ装置７および揺動装置８について図５に基づいて詳細に説明する。図５（ａ）は吊り下げ装置７および揺動装置８を説明する側面方向から見た図であり、（ｂ）は揺動装置８の回転円板の底面図である。
【００１５】
図５（ａ）および同図（ｂ）に示すように吊り下げ装置７は、乾燥室２の天井に吊り下げた状態で取り付けられたガイドレール７ａと、このガイドレール７ａを走行する２つの車輪部７ｂと、この２つの車輪部７ｂにより担持され、ハンガー６（図１参照）を掛ける掛止棒７ｃと、吊り下げ装置７の２つの車輪部７ｂを連結する連結板７ｄに直交する方向と平行となるように２枚の板を対向させて配設した平行摺動板７ｅとを備えている。
【００１６】
そして、揺動装置８は、乾燥室２の天井上面に設けられたモータ８ａと、天井を貫通するモータ８ａの回転軸８ａ−１が中心となる位置に固定した状態で取り付けられている回転円板８ｂと、回転円板８ｂの中心から半径方向へ偏心した位置に取り付けられた駆動部８ｃとを備えている。駆動部８ｃは、回転円板８ｂに固定した状態で取り付けられて偏心軸８ｃ−１と、この偏心軸８ｃ−１に回動自在に取り付けられているローラ８ｃ−２が設けられている。
【００１７】
揺動装置８と、吊り下げ装置７とは、駆動部８ｃのローラ８ｃ−２を、平行摺動板７ｅの間に配置した状態で接続されている。揺動装置８のモータ８ａを回転させることで、吊り下げ装置７が、約１分間に９０回〜１００回程度の往復運動の揺動をさせることができる。
【００１８】
図１から図４に戻って、装置本体３は、乾燥室２を形成する内板材としてステンレス鋼などの耐腐食材料を用いている。装置本体３の外板材は、内板材と同様にステンレス鋼などの耐腐食材料を用いているが、ボンデ鋼板なども使用することができる。内板材と外板材との間にはウレタンボードなどの断熱材が配設されている。
【００１９】
循環管路４は、ボンデ鋼で形成され、装置本体３の天井と一方の側面の下部とを接続するように配設されている。循環管路４が接続している装置本体３の天井部分が、空気の流入口４ａとなる。また循環管路４が接続している装置本体３の一方の側面の下部が、空気の吹き出し口４ｂとなっている。
【００２０】
この流入口４ａから吹き出し口４ｂまでの循環管路４には、図示しない除塵装置と、水冷式冷却フィン９と、誘引ファン１０と、蒸気式加熱ヒータ１１と、風向変更羽根１２とが設けられている。
【００２１】
水冷式冷却フィン９は、約９０℃程度に加熱された乾燥室２内の温風を約５０℃程度に冷却した空気とする。
【００２２】
誘引ファン１０は、乾燥室２の流入口４ａから取り入れた温風を、循環管路４内を通過させ、吹き出し口４ｂから乾燥室２へ吹き出している。この誘引ファン１０により、空気が循環管路４内を約７ｍ／ｓの流速で通過する。
【００２３】
蒸気式加熱ヒータ１１は、水冷式冷却フィン９により約５０℃程度となった空気を加熱して、約９０℃程度とする。
【００２４】
風向変更羽根１２は、吹き出し口４ｂに設けられており、吹き出し口４ｂから乾燥室２内へ吹き出される温風の風向を変える風向調整手段である。
【００２５】
ここで風向変更羽根１２およびこの風向変更羽根１２の向きを変更する風向変更部１４について、図６および図７に基づいて詳細に説明する。図６は、風向変更羽根１２を説明する図であり、（ａ）は側面図、（ｂ）は平面図、（ｃ）は吹き出し口４ｂ部分に風向変更羽根１２を取り付けた状態の断面図である。図７は、風向変更羽根１２の向きを変更する風向変更部１４を説明する図であり、（ａ）は乾燥装置１の背面から見た要部拡大図、（ｂ）は乾燥装置１の側面から見た要部拡大図である。
【００２６】
図６（ａ）から同図（ｃ）に示すように風向変更羽根１２は、吹き出し口４ｂから吹き込む温風を斜め上方へ案内するように断面略く字状に折り曲げた温風案内部１２ａが形成されている。風向変更羽根１２の温風案内部１２ａが形成された反対側の端辺には、この風向変更羽根１２を回動させるための回動棒１２ｂが設けられている。
【００２７】
図７（ａ）および同図（ｂ）に示すように、風向変更羽根１２は、この回動棒１２ｂの両端部を循環管路４の吹き出し口４ｂ部分の両側面に貫通させ、回動自在に取付金具１３によって取り付けられている。回動棒１２ｂの一端には、風向変更部１４のリンク１４ａが接続されており、このリンク１４ａに回動自在にシリンダ１４ｂが接続されている。このシリンダ１４ｂは、油圧で伸縮を制御されている。シリンダ１４ｂの伸縮は、１分間に５往復となるように設定され、揺動装置８が衣類５を揺動する周期と異なる周期としている。
【００２８】
図３に示すように、吹き出し口４ｂから風向変更羽根１２により案内される温風に付加するように、蒸気を噴出させる蒸気噴出手段である蒸気噴出パイプ１６が設けられている。この蒸気噴出パイプ１６は、直径が約２ｍｍの貫通孔が設けられており、この貫通孔から蒸気を噴出する。この蒸気噴出パイプ１６へ導入される蒸気は、この乾燥装置１を設置したときに外部より接続される蒸気配管（図示せず）により供給される。この蒸気配管より供給される蒸気は、蒸気噴出パイプ１６へ蒸気を供給するとともに、蒸気式加熱ヒータ１１へ供給され、循環管路４を循環する空気を加熱する。
【００２９】
誘引ファン１０が設けられている循環管路４の上流側には、水冷式冷却フィン９で温風が冷却されて液化した水と溶剤を溶剤回収装置１７へ導入する溶剤導入管１７ａが接続されている。
【００３０】
溶剤回収装置１７は、液化した水と溶剤とを貯留し、その比重差から水に浮上して層をなした溶剤を図示しないオーバーフローパイプから取り出して、再利用するようにしたものである。
【００３１】
水冷式冷却フィン９の起動と停止と温度管理、誘引ファン１０の起動と停止、蒸気式加熱ヒータ１１の起動と停止と温度管理、風向変更羽根１２を回動させるシリンダ１４ｂの伸縮の制御、蒸気噴出パイプ１６から噴出される蒸気量、および揺動装置８のモータ８ａの起動と停止は、制御装置１５により制御され、制御装置１５に設けられた操作盤により、運転方法を操作者が選択することができる。
【００３２】
以上のように構成される本発明の実施の形態に係る衣類の乾燥装置１の動作および使用方法を図１から図７に基づいて説明する。
【００３３】
図１に示すように、操作者は、装置本体３のドア３ａを開け、ハンガー６に吊したクリーニングの仕上げ工程前の衣類５を掛止棒７ｃに掛ける。そして操作者は、ドア３ａを閉め乾燥室２を密閉状態とする。
【００３４】
操作者は、制御装置１５の操作盤を操作して運転を開始する。運転開始により制御装置１５は、誘引ファン１０と、蒸気式加熱ヒータ１１と、揺動装置８のモータ８ａとを起動するとともに、風向変更羽根１２を回動させるシリンダ１４ｂを伸縮と、蒸気噴出パイプ１６から蒸気を噴出させる準備とを行う。
【００３５】
誘引ファン１０が起動されると、流入口４ａから乾燥室２内の空気が吸引され、循環管路４内を通過して吹き出し口４ｂから乾燥室２内へ吹き出すように循環し始める。そのうちに、蒸気式加熱ヒータ１１により循環する空気は加熱され温風となる。
【００３６】
図５（ａ）および同図（ｂ）に示すように、揺動装置８のモータ８ａは、回転することでモータ８ａの回転軸８ａ−１に接続された回転円板８ｂを回転させる。回転円板８ｂが回転すると、この回転に伴って中心から半径方向へ偏心した位置に取り付けられた駆動部８ｃが回転軸８ａ−１を中心として回転動作を開始する。駆動部８ｃのローラ８ｃ−２は、この回転動作によって平行摺動板７ｅに摺動しながら２枚の板と平行となる方向に往復運動する。ローラ８ｃ−２の往復運動により平行摺動板７ｅは、ローラ８ｃ−２が往復運動する方向とは直交する方向に往復運動するので、連結板７ｄおよび掛止棒７ｃを介してハンガー６に掛けられた衣類５が揺動する。この揺動により吊り下げられた衣類５は、湿らせている水や溶剤を蒸発させて乾燥させつつ、しわ伸ばしをすることができる。また揺動装置８により揺動される衣類５の下端は、その揺動に伴って振り子のように揺れる。従って、衣類５が振り子のように揺れることで、吹き出し口４ｂから吹き出される温風を、様々な角度から衣類５へ吹き付けることができる。また掛止棒７ｃに複数のハンガー６を密集させて掛けたとしても、この揺動で衣類５間に隙間ができるので、温風が当たらない箇所の発生を防止することができる。
【００３７】
一方、吹き出し口４ｂから吹き出される風であるが、蒸気式加熱ヒータ１１の加熱に伴い循環管路４を循環する空気が徐々に加熱される。加熱されることで、温風が吹き出し口４ｂから吹き出される。
【００３８】
図７（ａ）および同図（ｂ）に示すように、シリンダ１４ｂが伸びるとリンク１４ａを押し、風向変更羽根１２に設けられた回動棒１２ｂを、時計回り方向Ｒ１に回動させて、風向変更羽根１２の温風案内部１２ａが乾燥室２の上部方向へ温風を案内するように向く。そして、シリンダ１４ｂが縮むとリンク１４ａを引き、回動棒１２ｂを反時計回り方向Ｒ２に回動させて、風向変更羽根１２の温風案内部１２ａが乾燥室２の上部方向へ温風を案内するように向く。制御装置１５は、シリンダ１４ｂの伸縮を衣類５の乾燥を行う間継続的に繰り返す。回動軸１２ｂが時計方向Ｒ１および反時計方向Ｒ２に回動することで、風向変更羽根１２の温風案内部１２ａは下方向３０°、上方向６０°の計９０°角度を変える。
【００３９】
このように、衣類５へ吹き付けられる温風は、衣類５が揺動しつつ、風向調整羽根１２により風向きを変えているので、衣類５に吹き付けられる角度をより大きく変えることができる。従って、湿気を帯びた衣類５に対して様々な方向から温風を当てることができる。よって、衣類５の乾燥が促進され、乾燥の効率化を図ることができるので、誘引ファン１０の出力を大きくして温風の送風量を増やすことなく、乾燥時間の短縮を図ることができる
【００４０】
また、揺動装置８が衣類５を揺動する周期と、風向変更羽根１２が風向を変える周期とは異なる周期としているので、衣類５が振り子のように揺れたときに当たる風向きを一定方向とならずに、様々な角度から風を当てることができる。従って、より乾燥時間の効率化が図れ、乾燥時間を短縮させることができる。
【００４１】
また、吹き出し口４ｂが乾燥室２の下部に設けられているので、湿気が残りやすい衣類５の下部に、様々な角度から直に風を当てることができる。また、吹き出し口４ｂを乾燥室２の壁面の下部に設けることで、乾燥室２内を早く温度上昇させることができるだけでなく、乾燥室２内の温度を均一とすることができる。更に、その温風を風向変更羽根１２により乾燥室２内の空気を撹拌するように風向を変えているので、乾燥室２内の温度を均一とすることができる。湿った衣類５は、その雰囲気の中で揺動しているので、衣類５全体の乾燥を促進させることができる。
【００４２】
また、温風を循環管路４を取り込む流入口４ａを乾燥室２の上部となる天井に設けているので、衣類５の繊維の内を通過して冷却された空気が、吹き込み口４ｂから吹き出される温風と混じり合うことを抑制することができる。
【００４３】
蒸気式加熱ヒータ１１で加熱された蒸気は、蒸気噴出パイプ１６から噴出され、吹き出し口４ｂから吹き出される温風とともに、衣類５に吹き付けられる。乾燥室２の壁面の下部に設けられた吹き出し口４ｂから吹き込む温風に蒸気を付加するように蒸気噴出パイプ１６を配設しているので、噴出された蒸気が天井付近まで上昇した後に自重で落下してくるが、吹き出し口から吹き上げられる風に乗って再び蒸気を上昇させることができる。従って、しわ伸ばしを行う際に、蒸気を乾燥室２内の全体に行き渡らせることができるので、衣類５に満遍なく蒸気を付着させることができる。また、衣類５は揺動して振り子のように揺れているので、蒸気が直接吹き付けられる衣類５の下部や、落下しながら付着する衣類５の上部だけなく、衣類５の中央付近も満遍なく蒸気を付着させることができる。従って衣類５へ満遍なく蒸気を付着させることができるので、衣類５に蒸気が付着しないために揺動させても洗濯した際のしわが残ってしまう状態を防止することができるので、品質の高い乾燥装置１とすることができる。
【００４４】
流入口４ａから吸引した乾燥室２内の空気は、水冷式冷却フィン９により冷却されることで、水蒸気の元である水と、クリーニングの洗浄工程で使用された溶剤とが液化する。液化した水と溶剤は、溶剤導入管１７ａを通過して溶剤回収装置１７に貯留される。貯留された水と溶剤とは、徐々に蓄積され、その比重差から溶剤が水に浮上して層を形成するように分離する。水面付近に層を形成した溶剤は、オーバーフローパイプから回収され、再利用される。
【００４５】
以上、本発明の実施の形態について説明してきたが、本発明は前記実施の形態に限定されるものではなく、例えば、揺動装置８は、水平方向に揺動するものであるが、上下方向、斜め上方向から斜め下方向、またはその組み合わせとしてもよい。
また、風向変更羽根１２は、１枚としたが２枚以上としてもよい。２枚以上とする場合には、吹き出し口４ｂの開口面積応じてその間隔を適宜決定するのが望ましい。
【産業上の利用可能性】
【００４６】
本発明は、衣類のしわ伸ばしを行いつつ、乾燥を更に効率よく行うことが可能なので、クリーニングの仕上げ工程で衣類を乾燥させる乾燥装置に好適に用いることができる。
【図面の簡単な説明】
【００４７】
【図１】本発明の実施の形態に係る衣類の乾燥装置の正面図である。
【図２】本発明の実施の形態に係る衣類の乾燥装置の右側面図である。
【図３】本発明の実施の形態に係る衣類の乾燥装置の左側面図である。
【図４】本発明の実施の形態に係る衣類の乾燥装置の平面図である。
【図５】（ａ）は吊り下げ装置および揺動装置を説明する側面方向から見た図であり、（ｂ）は揺動装置の回転円板の底面図である。
【図６】風向変更羽根を説明する図であり、（ａ）は側面図、（ｂ）は平面図、（ｃ）は吹き出し口部分に風向変更羽根を取り付けた状態の断面図である。
【図７】風向変更羽根の向きを変更する風向変更部を説明する図であり、（ａ）は乾燥装置の背面から見た要部拡大図、（ｂ）は乾燥装置の側面から見た要部拡大図である。
【符号の説明】
【００４８】
１  乾燥装置
２  乾燥室
３  装置本体
３ａ  ドア
４  循環管路
４ａ  流入口
４ｂ  吹き出し口
５  衣類
６  ハンガー
７  吊り下げ装置
７ａ  ガイドレール
７ｂ  車輪部
７ｃ  掛止棒
７ｄ  連結板
７ｅ  平行摺動板
８  揺動装置
８ａ  モータ
８ａ−１  回転軸
８ｂ  回転円板
８ｃ  駆動部
８ｃ−１  偏心軸
８ｃ−２  ローラ
９  水冷式冷却フィン
１０  誘引ファン
１１  蒸気式加熱ヒータ
１２  風向変更羽根
１２ａ  温風案内部
１２ｂ  回動棒
１３  取付金具
１４  風向変更部
１４ａ  リンク
１４ｂ  シリンダ
１５  制御装置
１６  蒸気噴出パイプ
１７  溶剤回収装置
１７ａ  溶剤導入管
【図１】
2006130157.tif 000003
【図２】
2006130157.tif 000004
【図３】
2006130157.tif 000005
【図４】
2006130157.tif 000006
【図５】
2006130157.tif 000007
【図６】
2006130157.tif 000008
【図７】
2006130157.tif 000009
【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
クリーニングの仕上げ工程で衣類を乾燥させる乾燥装置において、
内部に乾燥室が形成された装置本体と、
前記乾燥室の天井から前記衣類を吊り下げる吊り下げ手段と、
前記吊り下げ手段を揺動させる揺動手段と、
前記乾燥室の壁面の下部に設けられた吹き出し口から前記乾燥室内に温風を送風する送風手段と、
前記吹き出し口に設けられ、前記吹き出し口から吹き出される温風の風向を周期的に変える風向調整手段とを備え、
前記揺動手段が前記衣類を揺動する周期と、前記風向調整手段が前記風向を変える周期とは異なる周期としたことを特徴とする衣類の乾燥装置。
【請求項２】
前記風向調整手段により案内された温風に付加するように、蒸気を噴出させる蒸気噴出手段が前記風向調整手段の前方に設けられていることを特徴とする請求項１記載の衣類の乾燥装置。
【手続補正２】
【補正対象書類名】明細書
【補正対象項目名】００１８
【補正方法】変更
【補正の内容】
【００１８】
図１から図４に戻って、装置本体３は、乾燥室２を形成する内板材としてステンレス鋼
などの耐腐食材料を用いている。装置本体３の外板材は、内板材と同様にステンレス鋼な
どの耐腐食材料を用いているが、ボンデ（登録商標）鋼板なども使用することができる。内板材と外板材との間にはウレタンボードなどの断熱材が配設されている。